(57)【要約】【課題】設置環境の制約下において遮蔽部材の配置及び変位態様を最適化させて演出表示装置の表示領域を拡大し演出効果を高める。【解決手段】  遮蔽装置４０は、駆動源Ｍ１と、演出表示装置５の周囲における上下方向の中央位置から上方または下方のいずれか一方に偏倚した位置に回転軸Ｓ１、Ｓ２により枢支され、駆動源Ｍ１により所定角度回動し、互いに長手方向の長さが異なる上下のリンク機構４６２、４６３と、上下のリンク機構４６２、４６３にそれぞれ連結され、演出表示装置５の表示画面５１を遮蔽または露出可能なシャッタ部材４２０とを有し、シャッタ部材４２０は、リンク機構４６２、４６３によって、演出表示装置５の表示画面５１の四隅の近傍に位置して表示画面５１の中央領域を露出させる第１位置と、表示画面５１の前面に互いに略均等に露出して演出表示装置５の表示画面５１の中央領域を遮蔽する第２位置とに変位可能とする。【選択図】  図８
2015053958.tif 000002
【特許請求の範囲】
【請求項１】
遊技球が流下可能な遊技領域を有する遊技盤と、前記遊技盤に設置され、遊技に係る演出図柄を表示可能な表示画面を有する演出表示装置と、前記演出表示装置の表示画面の少なくとも一部を遮蔽する遮蔽装置とを備える遊技機であって、
前記遮蔽装置は、
駆動源と、
前記演出表示装置の周囲における上下方向の中央位置から上方または下方のいずれか一方に偏倚した位置に回転軸により回転可能に支持され、前記駆動源により所定角度回動し、互いに長手方向の長さが異なる上下のリンク機構と、
前記上下のリンク機構にそれぞれ連結され、前記表示画面の少なくとも一部を遮蔽または露出可能なシャッタ部材とを有し、
前記シャッタ部材は、前記リンク機構によって、前記演出表示装置の前記表示画面の四隅の近傍に位置して前記演出表示装置の中央領域を露出させる第１位置と、前記演出表示装置の表示画面の前面に互いに略均等に露出して前記演出表示装置の表示画面の中央領域の少なくとも一部を遮蔽する第２位置とに変位可能とすることを特徴とする遊技機。
【請求項２】
前記上下のリンク機構は上側又は下側のいずれか一方にずれて配置された場合、一方寄りの前記リンク機構を相対的に短寸とし、他方寄りの前記リンク機構を相対的に長寸とすることを特徴とする請求項１記載の遊技機。
【請求項３】
前記回転軸は、前記上下のリンク機構のそれぞれに設けられる上下に隣接した２本の回転軸から構成され、前記上下のリンク機構は、前記回転軸の周りに互いに噛み合うギヤ部をそれぞれ設け、
前記上下のリンク機構が上側又は下側のいずれか一方にずれて配置された場合、一方寄りの前記リンク機構のギヤ部におけるギヤ比を１未満とすることを特徴とする請求項１または２記載の遊技機。
【発明の詳細な説明】
【技術分野】
【０００１】
本発明は、遊技機に関する。
【背景技術】
【０００２】
従来、遊技機においては、演出図柄を表示可能な演出表示装置における表示領域の前面を遮蔽及び開放可能な遮蔽装置として、演出表示装置の表示領域の横幅とほぼ等しい横幅からなる細長い複数の遮蔽板を、上下昇降式ブラインドのように設け、表示領域の一部または全部を遮蔽することにより、演出表示装置による表示演出の視覚的効果を高めるようにしたものがある（特許文献１）。また、前後方向の貫通孔を設けた左右１対の遮蔽部材を、それぞれ演出表示装置の左右から表示領域の前面より出没させ、表示領域の中央で結合させることによって、表示領域を遮蔽するとともに、結合した遮蔽部材を上下動可能として、演出表示装置の表示演出と組み合わせて演出効果を高めるようにしたものがある（特許文献２）。
【０００３】
上記特許文献１の遊技機では、遮蔽装置の上下作動と演出表示装置の表示演出とを適宜組み合わせたとしても、演出の種類は少なく、演出が単調と言わざるを得ない。また、特許文献２の遊技機では、遮蔽部材に貫通孔を設けているため、表示領域を遮蔽した際でも、常に貫通孔から表示領域の一部が前方から視認できる状態となっている。従って、演出表示装置が遮蔽される際の演出は、貫通孔から表示領域の一部が視認可能となっていることを考慮した演出に限定されてしまい、演出の自由度は損なわれるという課題があった。
【０００４】
そこで、本出願人は、２０１２年３月２７日に出願した特願２０１２−０７０６９９において、駆動源及び上下一対のリンク機構によって、開口窓を有する４枚のシャッタを、演出表示装置の表示領域を露出する露出位置から、互いに演出表示装置の前面の中央に集結させて演出表示装置の表示領域を遮蔽する遮蔽位置に変位するとともに、当該遮蔽位置において、開口窓を開閉可能とした発明により演出の自由度を向上させることによって上記課題を解決した。
【先行技術文献】
【特許文献】
【０００５】
【特許文献１】特開２００６−０７５４０７号公報
【特許文献２】特開２００６−１８７３３５号公報
【発明の概要】
【発明が解決しようとする課題】
【０００６】
上記出願に係る発明においては、シャッタが露出位置の際に演出表示装置の表示領域の一部を遮蔽していた。そこで、視認可能な表示領域を拡張するために、シャッタが露出位置において、上部のシャッタはより上方へ、下部のシャッタはより下方へ配置することを試みたところ、設置環境の制限により、上部のシャッタのより上方への配置、または下部のシャッタより下方への配置のいずれか一方の配置が不可能であったが、いずれか他方の配置であれば可能であった。
【０００７】
本発明は、設置環境の制約下において遮蔽部材の配置及び変位態様を最適化し演出表示装置の表示領域の拡大化を図ることにより、演出効果を高め、遊技の興趣性を向上させることができる遊技機を提供することを目的とする。
【課題を解決するための手段】
【０００８】
上記課題を解決するため、第１の発明は、遊技球が流下可能な遊技領域を有する遊技盤と、前記遊技盤に設置され、遊技に係る演出図柄を表示可能な表示画面を有する演出表示装置と、前記演出表示装置の表示画面の少なくとも一部を遮蔽する遮蔽装置とを備える遊技機であって、前記遮蔽装置は、駆動源と、前記演出表示装置の周囲における上下方向の中央位置から上方または下方のいずれか一方に偏倚した位置に回転軸により回転可能に支持され、前記駆動源により所定角度回動し、互いに長手方向の長さが異なる上下のリンク機構と、前記上下のリンク機構にそれぞれ連結され、前記表示画面の少なくとも一部を遮蔽または露出可能なシャッタ部材とを有し、前記シャッタ部材は、前記リンク機構によって、前記演出表示装置の前記表示画面の四隅の近傍に位置して前記演出表示装置の中央領域を露出させる第１位置と、前記演出表示装置の表示画面の前面に互いに略均等に露出して前記演出表示装置の表示画面の中央領域の少なくとも一部を遮蔽する第２位置とに変位可能とすることを特徴とする。
【０００９】
第２の発明は、第１の発明において、前記上下のリンク機構は上側又は下側のいずれか一方にずれて配置された場合、一方寄りの前記リンク機構を相対的に短寸とし、他方寄りの前記リンク機構を相対的に長寸とすることを特徴とする。
【００１０】
第３の発明は、第１または第２の発明において、前記回転軸は、前記上下のリンク機構のそれぞれに設けられる上下に隣接した２本の回転軸から構成され、前記上下のリンク機構は、前記回転軸の周りに互いに噛み合うギヤ部をそれぞれ設け、
前記上下のリンク機構が上側又は下側のいずれか一方にずれて配置された場合、一方寄りの前記リンク機構のギヤ部におけるギヤ比を１未満とすることを特徴とする。
【発明の効果】
【００１１】
本発明によれば、設置環境の制約下において遮蔽部材の配置及び変位態様を最適化し演出表示装置の表示領域の拡大化を図ることにより、演出効果を高め、遊技の興趣性を向上させることができる。
【図面の簡単な説明】
【００１２】
【図１】本発明に係る遊技機の正面斜視図である。
【図２】同じく遊技機における遮蔽ユニットが演出表示装置の表示領域を露出させる非遮蔽状態を示す遊技盤の拡大正面図である。
【図３】同じく遮蔽ユニットが演出表示装置の表示領域を遮蔽する遮蔽状態を示す遊技盤の拡大正面図である。
【図４】同じく遮蔽ユニットの非遮蔽状態を示す正面図である。
【図５】同じく遮蔽ユニットの非遮蔽状態を示す背面図である。
【図６】同じく遮蔽ユニットの遮蔽状態（第１開口部が開放状態）を示す正面図である。
【図７】同じく遮蔽ユニットの遮蔽状態（第１開口部が開放状態）を示す背面図である。
【図８】同じく遮蔽ユニットの動作を示すための遮蔽ユニットの一部拡大正面図である。
【図９】同じく遮蔽ユニットの遮蔽部材等の拡大背面図である。
【発明を実施するための形態】
【００１３】
以下、本発明を実施するための一実施形態を、添付図面を参照しながら詳述する。なお、以下の実施形態は本出願の特許請求の範囲に係る発明を限定するものではなく、実施形態の中で説明される特徴の組み合わせの全てが発明の解決手段に必須であるとは限らない。
【００１４】
なお、以下の説明において遊技機の各部の左右方向は、その遊技機の正面に対面する遊技者にとっての左右方向に合わせて説明する。
【００１５】
［遊技機の概観］
図１に示すように、遊技機１は、遊技場の島設備に設置される矩形枠状の機枠２と、当該機枠２の左枠部に図示略の蝶番により鉛直軸回りに開閉自在に取り付けられる本体枠３と、当該本体枠３の内側に装着され、前面に後述の遊技領域４１を形成する図２に示す遊技盤４と、当該遊技盤４のほぼ中央裏面に設置され、前面の表示画面５１に演出図柄５２を表示可能な図２に示す演出表示装置５と、遊技盤４の前側にあって、機枠２の左枠部に鉛直軸回りに開閉自在に支持され、遊技盤４の遊技領域４１及び演出表示装置５に表示される演出図柄５２を遊技者が透視し得るようなガラス窓６１が設けられたガラス扉６と、ガラス窓６１の下側に設けられ遊技球を貯留するための受皿７と、当該受皿７に貯留された遊技球を導入して遊技盤４の遊技領域４１へ向けて発射するための図示略の発射装置と、受皿７の右下方に設けられ遊技球を遊技領域４１へ打ち出す際に操作される発射ハンドル８と、マイクロコンピュータにより構成される図示略の制御装置等とを備える。なお、制御装置は、遊技機を統括して制御（大当り抽選を含む）する主制御装置と、演出に係る制御（演出抽選を含む）を行う副制御装置とに分けて設けるようにしてもよい。
【００１６】
演出表示装置５は、例えば液晶ディスプレイから構成され、図２に示すように表示画面５１に遊技に係る情報である各種キャラクタや左列、中列、右列の３列の数字等で構成される演出図柄５２を変動、停止表示すると共に、そのときの遊技状態に応じた種々の静止画及び動画を表示することによって遊技状態の告知や遊技を盛り上げるための演出を行う。
【００１７】
図２に示すように、遊技盤４は、アクリル樹脂等の透明な合成樹脂板により正面視ほぼ方形に形成されると共に、前面には、内外のガイドレール９、９によって包囲される円形（楕円形を含む）の遊技領域４１が形成される。受皿７に貯留された遊技球は、発射ハンドル８が回転操作されると、発射装置から発射されて内外のガイドレール９、９により上方へ誘導され、遊技領域４１の左上部から遊技領域４１内に導出されて遊技領域４１を流下する。
【００１８】
遊技盤４の遊技領域４１には、そのほぼ中央部に正面視で枠状の装飾枠１０が設けられる。当該装飾枠１０により囲まれる内側には、演出表示装置５の表示画面５１に表示される演出図柄５２を遊技者が遊技機１の前方から視認可能とする表示窓４２が形成される。なお、遊技盤４における表示窓４２以外の領域は、模様、彩色等が施された不透明の装飾板等が貼着されることにより、遊技機１の内部構造が見えないように遮蔽される。
【００１９】
さらに、遊技領域４１には、遊技領域４１に導出された遊技球の流下方向を変化させる図示略の多数の釘及び風車と、装飾枠１０の下部に形成され、遊技領域４１を流下する遊技球のうち装飾枠１０の左側部に設けられたワープ孔１０１に進入したワープ球（遊技球）を導入して左右及び前後方向へ転動可能とするステージ１１と、当該ステージ１１の下方にあって、遊技領域４１を流下する遊技球が入賞可能な第１始動入賞口１２及び第１始動入賞口１２の真下に配置される第２始動入賞口１３と、第１始動入賞口１２の右側、すなわち遊技領域４１の右領域にあって、遊技状態が遊技者にとって有利な大当り状態とする「第１有利遊技状態」に移行した場合、遊技領域４１の右領域を流下する右打ち遊技球が入賞可能な第１大入賞口１４と、右打ち遊技球が通過可能なスルーチャッカ１５と、第１大入賞口１４の上方にあって、遊技状態が遊技者にとって有利な上述の大当り状態と異なる大当り状態とする「第２有利遊技状態（例えば、所謂ランクアップボーナス遊技状態）」に移行した場合、右打ち遊技球が入賞可能な第２大入賞口１６が設けられる。また、遊技盤４の裏側で、かつ演出表示装置５の表示画面５１の前側には、遊技状態が所定の遊技状態、例えば「リーチ」状態になったとき所定の動作を行う遮蔽ユニット４０が設置される。さらに、遊技領域４１の下部には、遊技領域４１に導出された遊技球のうち第１、２始動入賞口１２、１３、第１、２大入賞口１４、１６等に入賞しなかったアウト球を遊技盤４の裏面側に排出するためのアウト口４３が設けられる。
【００２０】
なお、第１始動入賞口１２は、ヘソと称される常時上向きに開口した遊技球入口であり、第２始動入賞口１３は、スルーチャッカ１５への遊技球の通過検出を契機（以下、通過を契機という）に制御装置により所定の確率で実行される抽選の結果、当選した場合に開放するいわゆる電動チューリップと称される普通電動役物である。また、第１大入賞口１４は、遊技状態が「第１有利遊技状態」に移行した場合、第１大入賞口１４を開閉する開閉板１４１が前側に開放することにより、右打ち遊技球の入賞を可能にする。第２大入賞口１６は、遊技状態が「第２有利遊技状態」に移行した場合、第２大入賞口１４を開閉する開閉アーム１６１が側方に開放することにより、右打ち遊技球の入賞を可能にする。
【００２１】
第１始動入賞口１２の内部には、遊技球の入賞を検出するための図示略の検出スイッチが設けられる。また、第２始動入賞口１３の内部にも同様の検出スイッチが設けられる。第１始動入賞口１２及び第２始動入賞口１３のぞれぞれの検出スイッチが検出した入賞信号は、制御装置に送信される。制御装置は、入賞信号に基づいて内部で発生させた乱数に応じて、「大当たり（確率変動等を伴う大当り）」、「外れ」、「変動パターン」等の判定（抽選）を行うと共に、抽選により選択された変動パターンの結果に基づいて、演出表示装置５の表示画面５１に表示される演出図柄５２において「リーチ」等の変動表示を制御する。
【００２２】
なお、「リーチ」とは、図２に示すように、演出表示装置５の表示画面５１に表示される３列の演出図柄５２のうち２列の図柄列を先に停止させ、既に停止表示されている表示結果が当たり図柄（同一の図柄）の組み合わせ（大当たり図柄の組み合わせ）となる条件を満たして最終停止図柄の停止に期待をもたせる演出のことであり、また「リーチアクション」とは、「リーチ」時の一連の演出のことである。
【００２３】
第１大入賞口１４の開閉板１４１及び第２大入賞口１６の開閉アーム１６１の開放については、ラウンド数で管理されている。「１ラウンド」とは、遊技球が第１大入賞口１４または第２大入賞口１６に入賞可能となるように開閉板１４１または開閉アーム１６１が閉状態から開状態へ、開状態から閉状態となるまでの一連の動作をいう。具体的には、開閉板１４１または開閉アーム１６１が開放して、第１大入賞口１４または第２大入賞口１６の内部に設けた後述する入賞センサが、遊技球を１０個入賞したことを検出するか、または開閉板１４１または開閉アーム１６１が開放してから３０秒が経過すると閉鎖するまでをいう。
【００２４】
なお、開閉板１４１または開閉アーム１６１が開放している最中、第１大入賞口１４または第２大入賞口１６の内部に設けた図示略の特定領域センサが入賞した遊技球を検出した場合には、開閉板１４１または開閉アーム１６１が閉鎖後に再度開放する。
【００２５】
第１大入賞口１４の内部には、遊技球の入賞を検出するための図示略の入賞センサが設けられる。また、第２大入賞口１６の内部にも同様の入賞センサが設けられる。第１大入賞口１４及び第２大入賞口１６のぞれぞれの入賞センサが検出した入賞信号は、制御装置に送信される。制御装置は、当該入賞信号に基づいて払出装置に対して賞球を払い出させるための制御を行う。
【００２６】
また、本実施形態の遊技機１は、「通常遊技状態」中、第１始動入賞口１２への遊技球の入賞検出を契機（以下、入賞を契機という）に制御装置により低確率で実行される大当り抽選の結果、演出表示装置５の表示画面５１に確定表示された演出図柄５２の特定の組合せ、例えば、左列、中列、右列に０〜９のうち偶数の同一の非確変図柄が揃って停止表示された場合には、大当りとなって第１大入賞口１４の開閉板１４１を開放状態にして遊技状態が「第１有利遊技状態」に制御されると共に、「第１有利遊技状態」終了後に「時短状態」に制御され、同じく奇数の同一の確変図柄が揃って停止表示された場合には、これも大当りとなって第１大入賞口１４の開閉板１４１を開放状態にして「第１有利遊技状態」に制御されると共に、「第１有利遊技状態」終了後に「確変状態」に制御される。
【００２７】
さらに、「時短状態」及び「確変状態」制御中、第２始動入賞口１３への遊技球の入賞を契機に制御装置により所定の確率（「時短状態」にあっては低確率、「確変状態」にあっては高確率）で実行される大当り抽選の結果、表示画面５１に確定表示された演出図柄５２が確変図柄または非確変図柄で停止表示して確定表示された場合には、大当りとなって第２大入賞口１６の開閉アーム１６１を開放状態にして遊技状態が「第２有利遊技状態」に制御される。
なお、「確変状態」とは、スルーチャッカ１５への遊技球の通過を契機に実行される開放抽選の結果、当選したときには第２始動入賞口１３を所定回数、所定時間開放し、第２始動入賞口１３への遊技球の入賞の確率を高めると共に、表示画面５１に表示される演出図柄５２の可変表示時間が「通常遊技状態」時より短く、かつ大当りとなる確率が「通常遊技状態」時より高確率（例えば、「通常遊技状態」では大当たり確率１／３２０、「確変状態」では大当り確率１／６０）に制御された状態である。
一方「時短状態」とは、スルーチャッカ１５への遊技球の通過を契機に実行される開放抽選の結果、当選したときには第２始動入賞口１３を所定回数、所定時間開放し、第２始動入賞口１３への遊技球の入賞の確率を高めると共に、表示画面５１に表示される演出図柄５２の可変表示時間が「通常遊技状態」時より短くなるが、大当り確率が「通常遊技状態」時と同じ状態である。なお、第２始動入賞口１３の開閉動作は、「通常遊技状態」が１回、開放時間が０．５秒程度であり、「確変状態」及び「時短状態」は、開閉回数が２回、開放時間が２秒程度である。
【００２８】
装飾枠１０の下部で、かつステージ１１の後側には、ワープ孔１０１を通ってステージ１１上に導出されたワープ球（遊技球）がステージ１１の後側に落下しないようにするための透明垂直壁１８が設けられる。透明垂直壁１８の左上部には、ステージ１１の上方を覆い被さるように前方へ突出し、かつ遊技盤４の中央側に向けて下り傾斜の庇部１８１が一体形成される。また、透明垂直壁１８の右上部には、第２大入賞口１６に入賞した遊技球を遊技盤４の裏側中央下部に誘導する透明誘導路１９及び当該透明誘導路１９の上面を閉塞し、透明誘導路１９から遊技球が脱落することを阻止するための透明カバー２０が設けられる。
【００２９】
透明誘導路１９は（遊技球誘導路）、第２大入賞口１６に入賞した遊技球を遊技盤４の中央へ向けて転動させ、遊技球が転がっていく様子を遊技者が透明カバー２０を通して目視可能とする。また、透明誘導路１９の内面には、透明誘導路１９を転動する遊技球の転動速度を減速させるための減速部（例えば、凹状や凸状）が設けられ、透明誘導路１９の排出口近傍には、遊技球の通過を検出する図示略の遊技球検出センサが設けられている。遊技球検出センサ２４による遊技球の検出信号は、制御装置に送信される。制御装置は、検出信号に基づいて、演出表示装置５や図示略の刀役物等の演出態様を変化させる制御を実行する。
【００３０】
［遊技の要領］
次に、本実施形態における遊技機１の遊技の要領について説明する。
遊技状態が「通常遊技状態」の場合には、受皿７に貯留された遊技球を遊技領域４１の左領域（装飾枠１０の左側の領域）に流下させるように、発射ハンドル８の回転操作により発射装置の発射力を調節する。
【００３１】
遊技領域４１の左領域に導出された遊技球が装飾枠１０の左側を流下して第１始動入賞口１２に入賞した場合には、これを契機に、制御装置により実行される演出抽選の結果、選択（決定）された所定の変動パターンに基づいて、演出表示装置５の表示画面５１に、演出図柄５２が所定時間、所定の演出態様で表示演出される。そして、「リーチ」状態が発生した場合には、遮蔽ユニット４０が後述するように演出表示装置５の表示画面５１の前側に出現して所定の演出動作を行う等の「リーチアクション」演出が行われる。所定の変動時間経過後、演出表示装置５の表示画面５１に表示されている演出図柄５２が確変図柄または非確変図柄で停止表示して確定表示された場合には、大当り状態を生起させて遊技状態を「第１有利遊技状態」に移行させ、第１大入賞口１４の開閉板１４１を開放状態とする。
【００３２】
遊技状態が「第１有利遊技状態」に移行した場合には、遊技球を右打ちとなるように、発射ハンドル８を回転操作して発射装置の発射力が最大力となるように調整する。
【００３３】
右打ちされた遊技球は、装飾枠１０の上面及び右外周面に形成される右打ち経路１０２を通過して遊技領域４１の右領域に導かれる。遊技領域４１の右下領域に導出された右打ち遊技球は、開閉板１４１が開放状態にある第１大入賞口１４に容易に入賞する。
【００３４】
第１大入賞口１４の開閉板１４１は、最大１５ラウンドまで繰返し開放可能となっている。これにより、「第１有利遊技状態」のときには、第１大入賞口１４に多数の遊技球が入賞可能となり、遊技盤４の裏側に設けた図示略の賞球払出装置から賞球として大量の遊技球が短時間に受皿７に払い出される。
【００３５】
そして、「第１有利遊技状態」終了後に「確変状態」に突入した場合には、右打ちを継続し、右打ち遊技球がスルーチャッカ１５を通過すると、これを契機に第２始動入賞口１３が所定時間開放する。そして、右打ち遊技球が第２始動入賞口１３に入賞し、これを契機に実行される制御装置の大当り抽選及び演出抽選の結果、選択（決定）された所定の変動パターンに基づいて、演出表示装置５の表示画面５１に演出図柄５２を所定時間所定の演出態様で表示演出を行い、「リーチ」が発生した場合には、遮蔽ユニット４０は、遊技盤４の裏側に隠れていた後述の遮蔽部材４２２を演出表示装置５の表示画面５１の前側に出現させる共に、所定の演出動作を行う。そして、「リーチ」状態を経て、所定の変動時間経過後、演出表示装置５の表示画面５１に表示されている演出図柄５２が確変図柄または非確変図柄で停止表示して確定表示された場合には、大当り状態を生起させて遊技状態を「第２有利遊技状態」に移行させ、第２大入賞口１６の開閉アーム１６１は、ランクアップボーナスの種類に応じて、例えば、最大１２ラウンドまで繰返し開放可能となる。
【００３６】
右打ちされ、遊技領域４１の右下領域に導出された遊技球は、開閉アーム１６１が開放状態にある第２大入賞口１６に容易に入賞可能となり、遊技盤４の裏側に設けた図示略の賞球払出装置から賞球として大量の遊技球が短時間に受皿７に払い出されることとなる。
【００３７】
第２大入賞口１６に入賞した遊技球は、透明誘導路１９を通過して遊技盤４の裏側に誘導されて排出される際、遊技球検出センサによって検出される。遊技球検出センサが遊技球の通過を検出することに基づいて、図示略の刀役物は、演出表示装置５の表示画面の前側に所定の態様で出現する。
【００３８】
（遮蔽ユニット）
次に、遮蔽ユニット（遮蔽装置）４０について詳説する。
図２〜図４に示すように、遮蔽ユニット４０は、遊技盤４の裏側に設けられ役物の構成部材を取り付けるための図示略のセット盤に設けられ、遊技の進行や演出態様（例えば、リーチアクション）に合わせて、演出表示装置５の前面（表示面）を遮蔽したり、開放したりするものである。
また、遮蔽ユニット４０は、主に図４〜図７に示すように、遮蔽ユニット４０の骨格をなすベースプレート４１０、演出表示装置５の表示面を実際に遮蔽する遮蔽部材（シャッタ部材）４２０、遮蔽部材４２０を作動させるための遮蔽部材可動機構４５０、及びモータＭ１、Ｍ２から構成される。
【００３９】
（ベースプレート）
主に図４〜図７の仮想線（２点鎖線）で示すように、ベースプレート４１０は、コ字形の右側ベースプレート４１０ａと倒立コ字形の左側ベースプレート４１０ｂが互いに開放方向を向きあわせた状態で配置され、その際に形成された内側の領域に、演出表示装置５の表示画面とほぼ同型同寸の開口部４１０ｃを形成する。ベースプレート４１０は、遊技盤９の裏側に設けられたセット板に固定される。
【００４０】
（遮蔽部材）
主に図２〜図７に示すように、遮蔽部材（シャッタ部材）４２０は、非透過性の合成樹脂等からなり、第１遮蔽部材４２１、第２遮蔽部材４２２、第３遮蔽部材４２３、第４遮蔽部材４２４（以下、単に各遮蔽部材４２１〜４２４ともいう）から構成される。
【００４１】
各遮蔽部材４２１〜４２４は、略正方形の一部を切り欠いて（当該部分を切欠き部４３０ａという）五角形を形成する基部４３０と、基部４３０のほぼ中心に形成され後側の演出表示装置５の表示面を部分的に視認可能とするための正方形の第１開口部４３０ｂと、当該第１開口部４３０ｂを開閉可能とするシャッタ４４０等を含む。基部４３０の裏面には、図７〜図９に示すように、後述する第１リンク部材４６２の端部に係止する係止部４３０ｃが設けられる。
【００４２】
シャッタ４４０は、略正方形状の非透過性の合成樹脂等から形成され、第１開口部４３０ｂを閉鎖する閉鎖位置から開放する開放位置に変位可能となるように、閉鎖位置を基準（初期位置）として、演出表示装置５の表示面の中心に向かう中心方向とその反対方向である離心方向（放射方向）へ移動可能となっている。このシャッタ４４０の移動方向である中心方向及び離心方向は、後述する遮蔽位置において一体となった遮蔽部材４２０（各遮蔽部材４２１〜４２４）における対角線に沿うようになっている（図３参照）。
【００４３】
シャッタ４４０の表面には、遊技におけるシンボルとなる図示略の図柄がそれぞれ付される。なお、この図柄は全て同一のものでも、それぞれ異なるものでもよく、それぞれ異なる図柄の場合には、全ての図柄が表示されたときに任意の意味をなすような図柄としてもよい。
シャッタ４４０の裏面には、シャッタ４４０の上述の移動方向とは直行する方向へ延びる長孔４４０ａが設けられる（図９参照）。
【００４４】
各遮蔽部材４２１〜４２４は、演出表示装置５が表示する演出態様に応じて演出表示装置５の表示面を露出させる非遮蔽位置と表示面を遮蔽する遮蔽位置に変位可能となっている。
【００４５】
図４及び図５に示すように、本実施形態における非遮蔽位置において、第１遮蔽部材４２１は演出表示装置５の左上隅部近傍に、第２遮蔽部材４２２は演出表示装置５の右上隅部近傍に、第３遮蔽部材４２３は演出表示装置５の左下隅部近傍に、第４遮蔽部材４２４は演出表示装置５の右下隅部近傍に位置するようになっている。更に詳説すると、非遮蔽位置において上側の第１遮蔽部材４２１及び第２遮蔽部材４２２は、演出表示装置５の表示面に対して相対的に上下方向の中央位置寄りに配置されており、下側の第３遮蔽部材４２３及び第４遮蔽部材４２４は、演出表示装置５の表示面に対して相対的に上下方向の端（下端）寄りに配置されている。すなわち、図８に示すように、上側の第１遮蔽部材４２１及び第２遮蔽部材４２２の上下方向の中央位置（基準線Ｃ１）までの距離Ｄ１は、下側の第３遮蔽部材４２３及び第４遮蔽部材４２４の上下方向の中央位置（基準線Ｃ１）までの距離Ｄ２よりも短い（Ｄ１＜Ｄ２）。
一方、上側の第１遮蔽部材４２１及び第２遮蔽部材４２２の左右方向の中央位置（基準線Ｃ２）までの距離Ｄ３と、下側の第３遮蔽部材４２３及び第４遮蔽部材４２４の左右方向の中央位置（基準線Ｃ２）までの距離Ｄ４とは等しい（Ｄ３＝Ｄ４）。
また、非遮蔽位置において、上側の第１遮蔽部材４２１及び第２遮蔽部材４２２が演出表示装置５の表示面を遮蔽する領域は、下側の第３遮蔽部材４２３及び第４遮蔽部材４２４より大となっている。
【００４６】
これは、非遮蔽位置において、演出表示装置５の表示面を可能な限り露出しようと、上側の第１遮蔽部材４２１及び第２遮蔽部材４２２をより上方へ配置し、下側の第３遮蔽部材４２３及び第４遮蔽部材４２４をより下方へ配置しようと試みたところ、設置環境の制限等によって、上側の第１遮蔽部材４２１及び第２遮蔽部材４２２のより上方への配置ができず、下側の第３遮蔽部材４２３及び第４遮蔽部材４２４をより下方への配置のみが可能となった場合を想定している。
【００４７】
図６及び図７に示すように、各遮蔽部材４２１〜４２４が上述の非遮蔽位置から演出表示装置５の表示画面５１の中央へ変位した遮蔽位置において、第１遮蔽部材４２１は、右端部が演出表示装置５の左右方向の中央位置に位置するとともに下端部が演出表示装置５の上下方向の中央位置に位置する演出表示装置５の左上の領域に、第２遮蔽部材４２２は左端部が演出表示装置５の左右方向の中央位置に位置するとともに下端部が演出表示装置５の上下方向の中央位置に位置する演出表示装置５の右上の領域に、第３遮蔽部材４２３は右端部が演出表示装置５の左右方向の中央位置に位置するとともに上端部が演出表示装置５の上下方向の中央位置に位置する演出表示装置５の左下の領域に、第４遮蔽部材４２４は左端部が演出表示装置５の左右方向の中央位置に位置するとともに上端部が演出表示装置５の上下方向の中央位置に位置する演出表示装置５の右上の領域において、遮蔽部材４２１〜４２４同士が互いに対向する辺同士を結合させて、一体となった遮蔽部材４２０として演出表示装置５の前面を遮蔽するようになっている。この一体となった遮蔽部材４２０は、正面視略正方形をなし、その中央に頂点が上下左右を向く正方形の第２開口部４２０ａが各遮蔽部材４２１〜４２４の切欠き部４３０aによって形成される。第２開口部４２０ａが開放されることにより後側の演出表示装置５の表示面を部分的に視認可能となる。
【００４８】
以上のように本実施形態の遊技機では、上側の第１遮蔽部材４２１及び第２遮蔽部材４２２の非遮蔽位置から遮蔽位置までの距離と、下側の第３遮蔽部材４２３及び第４遮蔽部材４２４の非遮蔽位置から遮蔽位置までの距離とは異なるため、遮蔽位置で上下の第１遮蔽部材４２１及び第２遮蔽部材４２２と第３遮蔽部材４２３及び第４遮蔽部材４２４を同期して結合させるためには、以下に説明する第１作動機構４６０により上側の第１遮蔽部材４２１及び第２遮蔽部材４２２と、下側の第３遮蔽部材４２３及び第４遮蔽部材４２４との移動距離及び移動速度の調整を図ることができる。
【００４９】
（遮蔽部材可動機構）
遮蔽部材可動機構４５０は、各遮蔽部材４２１〜４２４の基部４３０と連結して、遮蔽部材４２１〜４２４自体を変位させる左右一対の第１作動機構４６０と、遮蔽部材４２１〜４２４の各シャッタ４４０と連結してシャッタ４４０のみを変位させる上下一対の第２作動機構４７０とを備える。
なお、第１作動機構４６０は左右対象の構成となっているため、説明を簡略化するために、左側の第１作動機構４６０のみについて説明するが、右側の第１作動機構４６０については、左側の第１作動機構４６０の説明における、「左」を「右」、「右」を「左」、「時計回り」を「反時計回り」、「反時計回り」を「時計回り」、「第１遮蔽部材４２１」を「第２遮蔽部材４２２」、「第３遮蔽部材４２３」を「第４遮蔽部材４２４」と読み替えるものとする。
【００５０】
（第１作動機構）
図５、図７、図８等に示すように、左側の第１作動機構４６０は、駆動源をなす第１モータＭ１と、第１モータＭ１の駆動力を上側の第１遮蔽部材４２１に伝達するための回転リンク部材４６１及び第１リンク部材４６２と、第１リンク部材４６２に従動して回動するとともに、第１モータＭ１の駆動力を下側の第３遮蔽部材４２３に伝達するための第２リンク部材４６３と、上側の第１遮蔽部材４２１の移動方向を誘導しつつ制限するための第１誘導部材４６４と、下側の第３遮蔽部材４２３の移動方向を誘導しつつ制限するための第２誘導部材４６５とが設けられる。
【００５１】
（第１モータ）
図４、図６等に示すように、第１モータＭ１は、ベースプレート４１０の表面側から前後方向の回転軸Ｓが後方を向くように固定される。
【００５２】
（リンク部材）
図５、図７等に示すように、回転リンク部材４６１は、円盤状をなし、裏面側はモータＭ１の回転軸Ｓに回転可能に固定され、表面側の縁近傍に前後方向の偏心軸４６１ａを有する。
【００５３】
図５、図７等に示すように、第１リンク部材４６２は、略長板状をなし、ベースプレート４１０の上下方向の中央位置よりも下側に設けた前後方向の回転軸Ｓ１により回転可能に支持される基端部に、当該回転軸Ｓ１周りに形成される平歯車である第１ギヤ部４６２ａと、第１リンク部材４６２の長手方向の中央に、第１リンク部材４６２の長手方向に延伸し偏心軸４６１ａが摺動かつ係合可能な長孔４６２ｂと、基端部とは反対側の遊端部に、第１リンク部材４６２の長手方向に延伸し、第１遮蔽部材４２１の裏面に設けられた係止部４３０ｃが摺動かつ係合可能な長孔４６２ｃとが設けられる。
【００５４】
図５、図７等に示すように、第２リンク部材４６３は、第１リンク部材４６２より短寸の略長板状をなし、ベースプレート４１０において回転軸Ｓ１の下方に設けた前後方向の回転軸Ｓ２により回転可能に支持される基端部に、第１ギヤ部４６２ａに噛合する回転軸Ｓ２周りに形成される平歯車であって、第１ギヤ部４６２ａより小径、例えば、ギヤ比が１／２の第２ギヤ部４６３ａと、基端部とは反対側の遊端部に、第２リンク部材４６３の長手方向に延伸し、第３遮蔽部材４２３の裏面に設けられた係止部４３０ｃが摺動かつ係合可能な長孔４６３ｂとが設けられる。
【００５５】
上述の通り、第１リンク部材４６２及び第２リンク部材４６３のそれぞれの回転軸Ｓ１、Ｓ２がベースプレート４１０の上下方向の中央位置よりも下側にずれるように配置されているため、第１作動機構４６０も、ベースプレート４１０の上下方向の中央位置よりも下側にずれるように配置される。
【００５６】
図８に示すように、第１リンク部材４６２は、第１遮蔽部材４２１が非遮蔽位置において、回転軸Ｓ１及び回転軸Ｓ２を通る基準線Ｒから回転軸Ｓ１を中心に時計回りに角度θ１（例えば、１５度）移動した位置に位置する（初期位置）。また、第１リンク部材４６２は、第１遮蔽部材４２１が遮蔽位置において、基準線Ｒから回転軸Ｓ１を中心に時計回りに角度θ２（例えば、４５度）移動した位置に位置する（作動位置）。従って、第１リンク部材４６２は初期位置から時計回りに３０度回動して作動位置に変位する。
【００５７】
第２リンク部材４６３は、第３遮蔽部材４２３が非遮蔽位置において、図８に示す、基準線Ｒから回転軸Ｓ２を中心に反時計回りに角度θ１よりも大の角度θ３（例えば、２０度）移動した位置に位置する（初期位置）。また、第２リンク部材４６３は、第３遮蔽部材４２３が遮蔽位置において、基準線Ｒから回転軸Ｓ２を中心に所定の角度θ２よりも大の角度θ４（例えば、８０度）移動した位置に位置する（作動位置）。従って、第２リンク部材４６３は初期位置から時計回りに６０度回動して作動位置に変位する。
【００５８】
第１リンク部材４６２及び第２リンク部材４６３の作動位置の上限角度が基準線Ｒから９０度とした場合、第１リンク部材４６２及び第２リンク部材４６３の回動範囲が、基準線Ｒから０度〜４５度までにおいては、Ｙ方向の移動距離よりも、Ｘ方向の移動距離の方が大となる。また、基準線Ｒから４５度〜９０度までにおいては、Ｘ方向の移動距離よりも、Ｙ方向の移動距離の方が大となる。
従って、第１リンク部材４６２は、Ｙ方向の移動距離Ｙ１よりも、Ｘ方向の移動距離Ｘ１の方が大となっている。
一方、第２リンク部材４６３は、Ｘ方向の移動距離Ｘ２よりも、Ｙ方向の移動距離Ｙ２の方が大となっている。
【００５９】
なお、第１リンク部材４６２及び第２リンク部材４６３の先端部の移動距離、換言すると、第１遮蔽部材４２１の非遮蔽位置から遮蔽位置までのＸ方向の移動距離Ｘ１、Ｙ方向の移動距離Ｙ１と、第３遮蔽部材４２３の非遮蔽位置から遮蔽位置までのＸ方向の移動距離Ｘ２、Ｙ方向の移動距離Ｙ２とは、Ｘ１＞Ｘ２、Ｙ１＜Ｙ２の関係にある。
【００６０】
ここで、第１ギヤ部４６２ａと第２ギヤ部４６３ａのギヤ比は上述のように１／２であるため、第１リンク部材４６２が「３０度」移動した場合、第２リンク部材４６３は「６０」度移動することになり、第１リンク部材４６２及び第２リンク部材４６３の作動の同期を図ることができる。
【００６１】
また、第１リンク部材４６２は、第２リンク部材４６３よりも長寸となっており、その比率は、例えば、４対３（例えば、１６ｃｍ対１２ｃｍ）となっている。
【００６２】
第１リンク部材４６２及び第２リンク部材４６３の先端部の円弧軌道における円弧の長さ、換言すると先端部の移動距離は、Ｌ＝ｒθ（ｒ：半径、θ：中心角）である。従って、第１遮蔽部材４２１における非遮蔽位置から遮蔽位置への移動距離Ｌ１は、１６ｃｍラπ／６（３０度）＝８．４ｃｍである。一方、第３遮蔽部材４２３における非遮蔽位置から遮蔽位置への移動距離Ｌ２は、１２ｃｍラπ／３（６０度）＝１２．５ｃｍである。従って、第１遮蔽部材４２１における非遮蔽位置から遮蔽位置への実際の移動距離Ｌ１と、第３遮蔽部材４２３における非遮蔽位置から遮蔽位置への移動距離Ｌ２との関係は上述の通り、Ｌ１＜Ｌ２（８．４ｃｍ＜１２．５ｃｍ）という関係になっている。なお、第１遮蔽部材４２１及び第３遮蔽部材４２３は、それぞれの被遮蔽位置から図８に示す白抜きの矢印方向へ移動して遮蔽位置に変位する。
【００６３】
（誘導部材）
第１誘導部材４６４及び第２誘導部材４６５は、ベースプレート４１０の前面側に折り曲げ成形された内外一対の取付片４１１に両端部が支持される互いに平行な一対の誘導棒４６４ａ、４６４ａ（４６５ａ、４６５ａ）と、一対の誘導棒４６４ａ、４６４ａ（４６５ａ、４６５ａ）に摺動可能に設けられ、第１遮蔽部材４２１〜第４遮蔽部材４２４に固定される摺動部材４６４ｂ、４６５ｂとが設けられる。
【００６４】
上側の第１遮蔽部材４２１に対応する誘導棒４６４ａは左斜め上方向（図６におけるＮ１方向）へ延伸し、第１遮蔽部材４２１がＹ方向よりもＸ方向へより多く移動するように制限するため、その傾きは、水平方向を基準（０度）とする４５度よりも「小」となっている。
一方、下側の第３遮蔽部材４２３に対応する誘導棒４６５ａは左斜め下方向（図６におけるＮ２方向）へ延伸し、第３遮蔽部材４２３がＸ方向よりもＹ方向へより多く移動するように制限するため、その傾きは、水平方向を基準（０度）とする４５度よりも「大」となっている。
【００６５】
また、摺動部材４６４ｂ、４６５ｂは、誘導棒４６４ａ、４６５ａを固定するための外側の取付片４１１に当接した際、第１遮蔽部材４２１及び第３遮蔽部材４２３が非遮蔽位置に位置するようになっており、内側の取付片４１１に当接した際、第１遮蔽部材４２１及び第３遮蔽部材４２３が遮蔽位置に位置するようになっている。
【００６６】
従って、第１遮蔽部材４２１及び第３遮蔽部材４２３は、は一定方向（図６におけるＮ１、Ｎ２方向）でかつ一定の位置（非遮蔽位置及び遮蔽位置）に安定して変位することが可能となる。
【００６７】
（第１作動機構の作動態様）
上記構成によれば、第１遮蔽部材４２１等が非遮蔽位置にあるとき、第１モータＭ１が時計回りに駆動すると、回転リンク部材４６１が時計回りに回動し、偏心軸４６１ａが第１リンク部材４６２の中央の長孔４６２ｂの右側に係合して第１リンク部材４６２を、回転軸Ｓ１を中心に時計回りに回動させるとともに、第１リンク部材４６２の回動に従って、同期的に第２リンク部材４６３が回転軸Ｓ２を中心に反時計回りに回動する。第１リンク部材４６２の回動に伴って、第１遮蔽部材４２１は、第１誘導部材４６４によって移動方向を制限されつつ非遮蔽位置からＸ１（右方向）、Ｙ１（下方向）（図８参照）移動することによって遮蔽位置へ確実に変位することができる。また、第２リンク部材の回動に伴って、第３遮蔽部材４２３は、第２誘導部材４６５によって移動方向を制限されつつ非遮蔽位置からＸ２（右方向）、Ｙ２（上方向）（図８参照）移動することによって遮蔽位置へ確実に変位することができる。
【００６８】
一方、第１遮蔽部材４２１等が遮蔽位置にあるとき、第１モータＭ１が反時計回りに駆動すると、回転リンク部材４６１が反時計回りに回動し、偏心軸４６１ａが第１リンク部材４６２の中央の長孔４６２ｂの左側に係合して第１リンク部材４６２を、回転軸Ｓ２を中心に反時計回りに回動させるとともに、第１リンク部材４６２の回動に従って、同期的に第２リンク部材４６３が回転軸Ｓ２を中心に時計回りに回動する。第１リンク部材４６２の回動に伴って、第１遮蔽部材４２１は、第１誘導部材４６４に移動方向を制限されつつ遮蔽位置からＸ１（左方向）、Ｙ１（上方向）（図８参照）移動することによって非遮蔽位置へ確実に変位することができる。また、第２リンク部材の回動に伴って、第３遮蔽部材４２３は、第２誘導部材４６５に移動方向を制限されつつ遮蔽位置からＸ２（左方向）、Ｙ２（下方向）（図８参照）移動することによって非遮蔽位置へ確実に変位することができる。
【００６９】
また、４つの遮蔽部材４２１〜４２４を左右の２つの第１モータＭ１によって変位させることが可能となるため、１つの遮蔽部材に対して、１つの駆動源を用意することなく、部品点数を減らすことができ、部材のコストや生産コストの削減が可能となる。
【００７０】
（第２作動機構）
図４〜図７等に示すように、上下の第２作動機構４７０は、駆動源をなす上下の第２モータＭ２、Ｍ２と、第１遮蔽部材４２１〜第４遮蔽部材４２４のそれぞれ対応するように設けられる第３リンク部材４７１と、第３リンク部材４７１とともに、第２モータＭ２の駆動力をシャッタ４４０に伝達するための上下の動力伝達部材４７３、４７５と、シャッタ４４０の移動方向を誘導しつつ制限するためのガイド装置４７７とが設けられる。
【００７１】
（第２モータ）
上側の第２モータＭ２は後述する上部ベース４７３ａの前面に、前後方向の回転軸Ｓが後方を向くように固定される。下側の上側の第２モータＭ２は後述する下部ベース４７５ａの後面に、前後方向の回転軸Ｓを下部ベース４７５ａの後面側からを前面側に貫通させるように固定される。
【００７２】
（第３リンク部材）
図４等に示すように、第３リンク部材４７１は、第１遮蔽部材４２１〜第４遮蔽部材４２４における基部４３０の裏面に設けられ、基部４３０の第１開口部４３０ｂの側方に設けられた前後方向の軸部４７１ｃによって回動可能に支持される。図９に示すように、第３リンク部材４７１は、軸部４７１ｃよりも先端側に形成された略Ω形のアーム部４７１ａと、軸部４７１ｃよりも基端側に形成されアーム部４７１ａの一部とによりクランク状をなす入力部４７１ｂとを一体的に形成して構成されている。
【００７３】
第３リンク部材４７１のアーム部４７１ａの先端には、シャッタ４４０の長孔４４０ａに摺動可能かつ係合可能なガイドピン４７１ｄが設けられ、軸部４７１ｃ周りには円筒状に前方へ突出する巻回部４７１ｅが設けられる。巻回部４７１ｅには第３リンク部材４７１をシャッタ４４０の閉鎖方向へ付勢するためのコイルスプリング４７１ｆが巻回される。コイルスプリング４７１ｆは、一端が第１遮蔽部材４２１〜第４遮蔽部材４２４の基部４３０と略同形でかつ基部４３０の裏面側から取付けられるカバー部材４８０に形成された係止部４８１に係止され、他端が第３リンク部材４７１の裏面に形成された係止部４７１ｇに係止されることにより各シャッタ４４０の閉鎖方向へ付勢するようになっている。
【００７４】
第３リンク部材４７１は、コイルスプリング４７１ｆにより上述のように付勢されることによって、各シャッタ４４０を開放状態から閉鎖状態に復帰させたり、各シャッタ４４０が自重や衝撃等により閉鎖位置から移動したりするのを防止している。
【００７５】
ここで、下側の第３遮蔽部材４２３及び第４遮蔽部材４２４におけるシャッタ４４０は自重で開放状態となりうる。一方、上側の第１遮蔽部材４２１及び第２遮蔽部材４２２におけるシャッタ４４０は自重で開放状態とならない。
従って、下側の第２作動機構４７０のコイルスプリング４７１ｆ、４７１ｆは、上側の第２作動機構４７０のコイルスプリング４７１ｆ、４７１ｆよりも、閉鎖状態とする付勢力が高となるように調整されている。
【００７６】
（動力伝達部材）
上側の第１動力伝達部材４７３は、ベースプレート４１０の上部に設けられる上部ベース４７３ａと、上部ベース４７３ａの前面に設けられ前方へ突出する上下一対のガイドピン４７３ｂと、モータＭ２の回転軸Ｓに取付けられるピニオンギヤ部Ｏと、モータＭ２の駆動力によって上下動可能な第１可動プレート４７４とを有する。
第１可動プレート４７４は略縦長矩形のプレート状であって、その左上側部に上下方向に延伸しピニオンギヤ部Ｏに噛合するラックギヤ部４７４ａと、その略中央に上下方向に延伸し上述の上下のガイドピン４７３ｂ、４７３ｂに沿って摺動可能な第１ガイド孔４７４ｂと、その下端部に第２リンク部材４７１の入力部４７１ｂの端部に当接可能な当接部４７４ｃとを設ける。
【００７７】
一方、下側の第２動力伝達部材４７５は、ベースプレート４１０の下部に設けられる下部ベース４７５ａと、下部ベース４７５ａ略中央の左側に設けられ前方へ突出する上下一対のガイドピン４７５ｂ、４７５ｂと、その右側に設けられ前方へ突出する単一のガイドピン４７５ｃと、モータＭ２の回転軸Ｓに取付けられるピニオンギヤ部Ｏと、モータＭ２の駆動力によって上下動可能な第２可動プレート４７６とを有する。
【００７８】
第２可動プレート４７６は略縦長矩形のプレート状であって、その右下側部に上下方向に延伸しピニオンギヤ部Ｏに噛合するラックギヤ部４７６ａと、その略中央の左側に設けられ、上下方向に延伸する相対的に長寸の第２ガイド孔４７６ｂと、第２ガイド孔４７６ｂの右側に平行して設けられる相対的に短寸の第３ガイド孔４７６ｃと、その上端部に第２リンク部材４７１の入力部４７１ｂの端部に当接可能な当接部４７６ｄとを設ける。
【００７９】
ここで、第２可動プレート４７６は、２本の第２ガイド孔４７６ｂ及び第３ガイド孔４７６ｃとそれぞれに摺動可能なガイドピン４７５ｂ、４７５ｃとによって、より確実かつ安定的にその状態を保持しながらに上下動可能となっているが、これは、上述の通り、上側の第２作動機構４７０のコイルスプリング４７１ｆよりも下側の第２作動機構４７０のコイルスプリング４７１ｆの方がシャッタ４４０の閉鎖方向の付勢力が高くなるように設定されてあり、この下側のコイルスプリング４７１ｆの付勢力に対して安定よく抗しうるためである。
【００８０】
図６、図７に示すように、当接部４７４ｃ、４７６ｂは、遮蔽部材４２１〜４２４が遮蔽位置に位置するとき、第２モータＭ２によって動力伝達部材４７３、４７５が下降（上昇）した際に、第２リンク部材４７１の入力部４７１ｂの端部に当接可能となっている。そして、当接した状態でさらに動力伝達部材４７３、４７５が下降（上昇）すると、第３リンク部材４７１が回動して、シャッタ４４０を離心方向へ移動させて、第１開口部４３０ｂを開放状態とする。
【００８１】
（ガイド装置）
図９に示すように、ガイド装置４７７は、遮蔽部材４２１〜４２４の基部４３０の裏面に設けられ、シャッタ４４０の側方にシャッタ４４０の開閉方向（中心方向、離心方向）へ延伸するガイド棒４７７ａと、各シャッタ４４０の側端部から側方へ突出するように設けられ、ガイド棒４７７ａに摺動可能な摺動部４７７ｂとを備える。
ガイド装置４７７によってシャッタ４４０は開閉方向に安定して変位することが可能となっている。
【００８２】
（第２作動機構の作動態様）
第２作動機構の作動態様について説明する。なお、上下の第２作動機構４７０の作動態様については上下略対象となっているため、以下の説明において、上側の第２作動機構４７０のみについて説明するが、下側の第２作動機構４７０については、上側の第２作動機構４７０の説明における、「上」を「下」、「下」を「上」、「上昇」を「下降」とする。
【００８３】
上側の第２作動機構４７０は、遮蔽部材４２１〜４２４が遮蔽位置に位置しているとき、上部の動力伝達部材４７３の第１可動プレート４７４が第２モータＭ２の駆動により下降すると、第１可動プレート４７４の当接部４７４ｃは第３リンク部材４７１の入力部４７１ｂの端部に当接し、さらに、コイルスプリング４７１ｆの付勢力に抗して第３リンク部材４７１の入力部４７１ｂ端部が押し下げられることにより、軸部４７１ｃを中心としてアーム部４７１ａが上昇すると、先端のガイドピン４７１ｄがシャッタ４４０の長孔４４０ａの上側に係合して、シャッタ４４０に駆動力が伝達されることにより、シャッタ４４０はガイド装置４７７によって離心方法へ移動を制御されつつ閉鎖位置から開放位置にスライドし、第１開口部４３０ｂは開放状態となって後側の演出表示装置５の表示面の一部が視認可能となる。
【００８４】
各第１開口部４３０ｂが開放状態にあるときに、上部の動力伝達部材４７３の第１可動プレート４７４が第２モータＭ２の駆動により上昇すると、の第１可動プレート４７４による第３リンク部材４７１の下方への押圧状態は解除され、第３リンク部材４７１は、コイルスプリング４７１ｆの付勢力によって、軸部４７１ｃを中心にアーム部４７１ａが下降し、アーム部４７１ａのガイドピン４７１ｄがシャッタ４４０の長孔４４０ａの下側に係合して、シャッタ４４０にコイルスプリング４７１ｆの付勢力が伝達することにより、シャッタ４４０はガイド装置４７７によって中心方向へ移動を制御されつつ開放位置から閉鎖位置にスライドし、第１開口部４３０ｂは閉鎖状態となって後側の演出表示装置５の表示面の一部が視認不可能となる。
【００８５】
上記構成により、遮蔽部材４２１〜４２４が遮蔽位置に位置するときに、第２モータＭ２、動力伝達部材４７３、第３リンク部材４７１、シャッタ４４０間の動力伝達経路が連係可能となり、かつ、上下の第２モータＭ２が同期して駆動することによって、全てのシャッタ４４０を同時に開閉することも可能であり、上下の第２モータＭ２を個々に駆動することによって、上側のシャッタ４４０と下側の４４０をそれぞれ開閉することができる。また、遊技の進行に合わせて、第２モータＭ２の速度を調整したり、一方のみの第２モータＭ２の回転速度を速めたり、遅めたりすることによって、シャッタ４４０の開閉を非同期的に行ってもよい。また、一部のシャッタ４４０の開閉のタイミングをずらすことによって開閉を非同期的に行ってもよい。
【００８６】
（遊技の流れに基づく遮蔽ユニット４０の作動態様）
第１始動入賞口１２または第２始動入賞口１３への遊技球の入賞を契機に実行される制御装置の大当り抽選及び演出抽選の結果、選択（決定）された所定の変動パターンに基づいて、演出表示装置５の表示画面５１に演出図柄５２を所定時間所定の演出態様で表示演出を行い、図２に示す「リーチ」が発生した場合には、リーチアクションとして、遮蔽ユニット４０は、遮蔽部材４２０を被遮蔽位置から図３に示す遮蔽位置に移動させ、遮蔽位置の際に形成される第２開口部４２０ａから演出表示装置５に表示された所定の演出図柄５２を視認可能とする。さらに、遮蔽部材４２０が遮蔽位置において、それぞれのシャッタ４４０を離心方向（図３の矢印方向）へ移動して第１開口部４３０ｂを開放し、第１開口部４３０ｂから演出表示装置５に表示された所定の演出図柄５２を視認可能とする。シャッタ４４０を同期してまたは非同期に開移動、閉移動することによって演出のバリエーションが増加し、演出効果を高めることができ、遊技の興趣性を向上させることができる。
【００８７】
また、第１作動機構４６０を演出表示装置５の表示画面５１の上下方向の中央位置よりも下側にずれるように配置することによって、遮蔽部材４２０が非遮蔽位置において、設置環境の制限がある中で、可能な限り、演出表示装置５の表示画面５１を露出することができる。
また、このように第１作動機構４６０がずれた状態であっても、遮蔽部材４２０をそれぞれ均等に露出するように演出表示装置５の表示画面５１の前面にある遮蔽位置に移動するようになっており、適切に演出表示装置５の表示画面５１を遮蔽することが可能となり、演出効果を高めることができ、遊技の興趣性を向上させることができる。
【００８８】
以上、本発明の一実施形態について説明したが、本発明の要旨を逸脱しない範囲内で、本実施形態に対して、次のような変形や変更を施すことが可能である。
【００８９】
（ａ）第１作動機構４６０も、ベースプレート４１０の上下方向の中央位置よりも上側にずれるように配置する。
【００９０】
（ｂ）左右一対の第１作動機構４６０を上下一対の第１作動機構とし、上下一対の第２作動機構４７０を左右一対の第２作動機構とする。そして、第１作動機構も、ベースプレート４１０の左右方向の中央位置からいずれか片方にずれるように配置する。
【符号の説明】
【００９１】
Ｍ１  モータ
Ｍ２  モータ
Ｓ  回転軸
Ｓ１  回転軸
Ｓ２  回転軸
１  遊技機
２  機枠
３  本体枠
４  遊技盤
４１  遊技領域
４２  表示窓
４３  アウト口
５  演出表示装置
５１  表示画面
５２  演出図柄
６  ガラス扉
６１  ガラス窓
７  受皿
８  発射ハンドル
９  ガイドレール
１０  装飾枠
１０１  ワープ孔
１０２  右打ち経路
１１  ステージ
１２  第１始動入賞口
１３  第２始動入賞口
１４  第１大入賞口
１４１  開閉板
１５  スルーチャッカ
１６  第２大入賞口
１６１  開閉アーム
１８  透明垂直壁
１８１  庇部
１９  透明誘導路
２０  透明カバー
４０  遮蔽ユニット
４１０  ベースプレート
４１０ａ  右側ベースプレート
４１０ｂ  左側ベースプレート
４１０ｃ  開口部
４１１  取付片
４２０  遮蔽部材
４２０ａ  開口部
４２１  第１遮蔽部材
４２２  第２遮蔽部材
４２３  第３遮蔽部材
４２４  第４遮蔽部材
４３０  基部
４３０ａ  切欠き部
４３０ｂ  開口部
４３０ｃ  係止部
４４０  シャッタ
４４０ａ  長孔
４５０  遮蔽部材可動機構
４６０  第１作動機構
４６１  回転リンク部材
４６１ａ  偏心軸
４６２  リンク部材
４６２ａ  ギヤ部
４６２ｂ  長孔
４６２ｃ  長孔
４６３  リンク部材
４６３ａ  ギヤ部
４６３ｂ  長孔
４６４  誘導部材
４６４ａ  誘導棒
４６４ｂ  摺動部材
４６５  誘導部材
４６５ｂ  誘導棒
４７０  第２作動機構
４７１  第３リンク部材
４７１ａ  アーム部
４７１ｂ  入力部
４７１ｃ  軸部
４７１ｄ  ガイドピン
４７１ｅ  巻回部
４７１ｆ  コイルスプリング
４７１ｇ  係止部
４７３  第１動力伝達部材
４７３ａ  上部ベース
４７３ｂ  ガイドピン
４７４  可動プレート
４７４ａ  ラックギヤ部
４７４ｂ  ガイド孔
４７４ｃ  当接部
４７５  第２動力伝達部材
４７５ａ  下部ベース
４７５ｂ  ガイドピン
４７５ｃ  ガイドピン
４７６  可動プレート
４７６ａ  ラックギヤ部
４７６ｂ  ガイド孔
４７６ｃ  ガイド孔
４７６ｄ  当接部
４７７  ガイド装置
４７７ａ  ガイド棒
４８０  カバー部材
４８１  係止部
【図１】
2015053958.tif 000003
【図２】
2015053958.tif 000004
【図３】
2015053958.tif 000005
【図４】
2015053958.tif 000006
【図５】
2015053958.tif 000007
【図６】
2015053958.tif 000008
【図７】
2015053958.tif 000009
【図８】
2015053958.tif 000010
【図９】
2015053958.tif 000011